(57)【特許請求の範囲】
【請求項１】
底部と該底部の外周に起立する周壁とで構成された胴部に被包装物を収容し、胴部の上縁の一部に連設された内フラップを胴部上面に折り曲げ、胴部の上縁の他部に連設された天面フラップを前記内フラップの外側に重合させる包装箱において、
基部と背板部とが折目線を介して互いに重合する方向に折り畳み自在とされ、該背板部の外表面に所定の表示が施された表示部を備えて天面フラップと内フラップの間に保持される台紙と、前記台紙の内側に保持されるカードとを備え、
前記天面フラップは、前記台紙の表示部を露出させる窓部と、該窓部の周縁の少なくとも一部に連設されて前記台紙の背板部をその内側から押える押え片とを備え、
前記内フラップは、前記台紙の基部の一部を差し込んで係止する差込部を備え、
前記台紙は、前記天面フラップの押え片に押えられた状態で露出する位置に前記カードの一部を取り外し自在に係止する係止部を備え、
前記カードは、一対の板部が折目線を介して互いに重合する方向に折り畳み自在とされ、一方の板部を前記天面フラップの押え片に押えられた前記台紙の前記係止部に係止して前記押え片をその内側から覆い、他方の板部を前記台紙の基部と共に前記内フラップの差込部に取り外し自在に差し込んで保持されることを特徴とする包装箱。
【発明の詳細な説明】
【技術分野】
【０００１】
本発明は、商品やプレゼント品等の包装に好適な包装箱に関する。
【背景技術】
【０００２】
従来、開閉自在の天面フラップの裏側にカードを取り付けた包装箱が知られている（特許文献１参照）。この種の包装箱では、天面フラップの裏側に形成された切れ目にカードの四角部を差し込んで係止させ、天面フラップからのカードの脱落が防止されている。
【０００３】
天面フラップの裏側にカードを取り付けたことにより、天面フラップを開けたときにカードが視認でき、プレゼント品等のイメージ向上を図ることができる。
【先行技術文献】
【特許文献】
【０００４】
【特許文献１】実開昭５９−１１５７２０号公報
【発明の概要】
【発明が解決しようとする課題】
【０００５】
しかし、上記従来の構成では、一対の板部が折目線を介して互いに重合する方向に折り畳み自在とされた所謂２つ折のカードを取り付ける場合には、カードを折り畳んだ状態で天面フラップに取り付けなければならない。このため、天面フラップからカード取り外してからでないと、開封者が２つ折のカードの内側に記されているメッセージ等を確認することができない。従って、カードによるメッセージ等が開封時に伝わらないおそれがあり、被包装物である商品やプレゼント品等についてのアピールやイメージ向上が不十分となる不都合がある。
【０００６】
上記の点に鑑み、本発明は、２つ折のカードを設けて開封者に対するアピール度が高く、被包装物のイメージを一層向上させることができる包装箱を提供することを目的とする。
【課題を解決するための手段】
【０００７】
かかる目的を達成するために、本発明は、底部と該底部の外周に起立する周壁とで構成された胴部に被包装物を収容し、胴部の上縁の一部に連設された内フラップを胴部上面に折り曲げ、胴部の上縁の他部に連設された天面フラップを前記内フラップの外側に重合させる包装箱において、基部と背板部とが折目線を介して互いに重合する方向に折り畳み自在とされ、該背板部の外表面に所定の表示が施された表示部を備えて天面フラップと内フラップの間に保持される台紙と、前記台紙の内側に保持されるカードとを備え、前記天面フラップは、前記台紙の表示部を露出させる窓部と、該窓部の周縁の少なくとも一部に連設されて前記台紙の背板部をその内側から押える押え片とを備え、前記内フラップは、前記台紙の基部の一部を差し込んで係止する差込部を備え、前記台紙は、前記天面フラップの押え片に押えられた状態で露出する位置に前記カードの一部を取り外し自在に係止する係止部を備え、前記カードは、一対の板部が折目線を介して互いに重合する方向に折り畳み自在とされ、一方の板部を前記天面フラップの押え片に押えられた前記台紙の係止部に係止して前記押え片をその内側から覆い、他方の板部を前記台紙の基部と共に前記内フラップの差込部に取り外し自在に差し込んで保持されることを特徴とする。
【０００８】
本発明によれば、前記台紙の表示部に、ロゴ等の文字、イラスト、マーク、或いは模様等の所定の表示を設けておくことにより、天面フラップの窓部を介して当該表示を開封者に確認させることができ、包装箱の開封前であっても（天面フラップを開けなくても）開封者に対して所望のアピール（例えば、期待感の向上や、宣伝等）を行うことができる。また、前記台紙は容易に交換することができるので、包装箱の用途に応じた表示を極めて簡単に行うことができる。これにより、包装箱への印刷も不要或いは極力少なくすることができ、包装箱を安価に提供することができる。
【０００９】
次に、開封に際して、天面フラップを起立させるようにして持ち上げると、台紙の基部が内フラップの差込部に係止されていることにより、台紙の背板部が天面フラップの押え片により押えられた状態で天面フラップと一体的に立ち上がる。このとき、台紙の背板部の内側にはカードの一方の板部が係止され、台紙の基部の内側にはカードの他方の板部が係止されているので、カードも一緒に開かれる。こうして、開封操作により天面フラップを持ち上げると同時にカードが開くので、開封者はカードに記されたメッセージ等を確実に確認することができ、例えば、プレゼント品等のイメージ向上が確実に得られる。
【００１０】
ここで、台紙は、押え片が内側から押えることにより天面フラップの内側に支持されている。このため、天面フラップを開いたときにその内側の押え片が露出すると体裁が悪く、開封時に美観の低下が生じるおそれがある。
【００１１】
一方、本発明においては、カードの一方の板部が押え片をその内側から覆うようにしている。こうすることにより、押え片はカードにより覆い隠されるので、押え片が露出することによる美観の低下を防止することができる。しかも、台紙を内側から押さえている押え片は、更にその内側からカードにより押さえられるので、台紙がしっかりと天面フラップに固定され、不用意な外れ等も防止することができる。
【００１２】
また、前記カードは、一方の板部が台紙の係止部に取り外し自在に係止され、他方の板部が台紙の基部と共に内フラップの差込部に取り外し自在に差し込まれているので、カードを容易に取り外すことができ、カードの保管や再利用が容易である。
【図面の簡単な説明】
【００１３】
【図１】本発明の第１の実施形態の包装箱を示す斜視図。
【図２】図１の開封状態を示す斜視図。
【図３】第１の実施形態の箱本体の展開図。
【図４】第１の実施形態における台紙の取り付け状態を示す斜視図。
【図５】台紙を示す図。
【図６】本発明の第２の実施形態の包装箱を示す斜視図。
【図７】図６の開封状態を示す斜視図。
【図８】第２の実施形態の箱本体の展開図。
【図９】第２の実施形態における台紙の取り付け状態を示す斜視図。
【発明を実施するための形態】
【００１４】
本発明の実施形態を図面に基づいて説明する。図１に示す第１の実施形態の包装箱Ａは、プレゼント品や通信販売の商品等を被包装物とするものであり、図２に示すように、箱本体１と、台紙２と、カード３とで構成される。
【００１５】
箱本体１は、図３に示す段ボール製の板紙４から形成される。なお、図３は板紙４の裏面を示している。
【００１６】
板紙４は、図３に示すように、図中左側から右側に向って順に後側板５、右側板６、前側板７、及び左側板８が、夫々折目線を介して連設されている。後側板５における右側板６と反対側の側縁には折目線を介して接着片９が連設されている。
【００１７】
前後の側板７，５の夫々の下縁には底部外フラップ１０，１１が折目線を介して連設され、左右の側板８，６の夫々の下縁には底部内フラップ１２，１３が折目線を介して連設されている。後側板５の上縁には折目線を介して天面フラップ１４が連設されている。天面フラップ１４の先端縁には折目線を介して差込片１５が連設されている。右側板６の上縁には第１上部内フラップ１６が折目線を介して連設されており、左側板８の上縁には第２上部内フラップ１７が折目線を介して連設されている。
【００１８】
箱本体１を形成するとき、各側板５，６，７，８を各折目線を介して折り曲げ接着片９を左側板８に接着することで、図１に示す四角筒状の周壁による胴部１８が形成される。胴部１８の下面を閉塞する底部１９は、図３に示す底部内フラップ１２，１３を互いに胴部１８の内方に水平に折り曲げ、底部外フラップ１１，１２を互いに胴部１８の内方に水平に折り曲げて底部内フラップ１２，１３の外側に重合させ、更に、底部外フラップ１０，１１を図示しない封緘用の粘着テープで封止することで形成される。
【００１９】
図３に示すように、天面フラップ１４には、この天面フラップ１４を貫通して開放する窓部２０が形成されている。窓部２０の内周縁には、一対の押え片２１が連設されている。第１上部内フラップ１６には第１差込部２２が形成され、第２上部内フラップ１７には第２差込部２３が形成されている。
【００２０】
第１差込部２２は、切れ目２４と遊離片２５とで構成されており、遊離片２５が遊離することにより角押え突起２６と、該角押え突起２６から所定の距離を存して縁押え突起２７とが形成される。第２差込部２３は、切れ目２８と遊離片２９とで構成されており、遊離片２９が遊離することにより角押え突起３０が形成される。
【００２１】
押え片２１、第１差込部２２、及び第２差込部２３は、図４に示すように、台紙２を支持するものである。台紙２は、図５（ａ）に内面側を示し、図５（ｂ）に外面側を示すように、矩形状の比較的硬質の紙製シートであり、下半部が基部３１とされ、中央部に設けられた折目線を介して上半部が背板部３２とされている。
【００２２】
台紙２の背板部３２の内面側には、図５（ａ）に示すように、上部角部に袋状の係止部３３が設けられている。台紙２の背板部３２の外面側には、図５（ｂ）に示すように、表示部３４が形成されている。表示部３４には、ロゴ等の文字、イラスト、マーク、或いは模様等の表示が設けられている。
【００２３】
台紙２は、図４に示すように、背板部３２が天面フラップ１４の内側に重合され、押え片２１により押えられる。このとき、背板部３２の表示部３４は、図１に示すように、窓部２０を介して露出する。これによって、所望の表示を良好に行うことができるので、箱本体１の外表面への印刷表示を少なくする、或いは外表面への印刷表示を不要として包装箱Ａの製造コストを低減することが可能となる。
【００２４】
また、台紙２の基部３１は、その両角部が第１差込部２２と第２差込部２３とに夫々差し込まれる。台紙２の基部３１の一方の角部が第１差込部２２に差し込まれたとき、角押え突起２６が一方の角部を押えると同時に、一方の角部の近傍の基部３１の縁部を縁押え突起２７が押える。同様に、台紙２の基部３１の他方の角部が第２差込部２３に差し込まれたとき、角押え突起３０が他方の角部を押える。このとき、第１差込部２２と第２差込部２３とは、遊離片２５，２９により台紙２の基部３１の両角部に面当接し、確実な係止状態を形成する。
【００２５】
また、第１差込部２２の角押え突起２６と第２差込部２３の角押え突起３０とは、図３に示すように、前後方向の長さが異なる。即ち、第１差込部２２の角押え突起２６の長さａは、縁押え突起２７を設けるために第２差込部２３の角押え突起３０の長さｂよりも短く形成されている。
【００２６】
台紙２の基部３１の両角部を夫々、第１差込部２２と第２差込部２３とに差し込む時には、先ず、第１差込部２２に台紙２の基部３１の一方の角部をしっかりと差し込んだ後に、次いで、第２差込部２３に台紙２の基部３１の他方の角部を差し込む。
【００２７】
台紙２の基部３１の一方の角部側は、第１差込部２２の角押え突起２６と縁押え突起２７とで確実に係止される。一方、第２差込部２３には角押え突起３０だけが設けられて、縁押え突起２７に相当する部分を備えていないが、これによって、台紙２の取り付け作業を容易としている。即ち、第２差込部２３に台紙２の基部３１の他方の角部を差し込む際には、台紙２の基部３１の第２上部内フラップ１７に重合している部分を胴部１８内方に押し下げるだけで、基部３１の他方の角部が容易に第２差込部２３に差し込まれ、その後、押し下げを解除して第２上部内フラップ１７が弾発的に水平に戻ることで、基部３１の他方の角部が一層深く差し込まれて角押え突起３０に係止された状態となる。
【００２８】
従って、上記構成の第１差込部２２及び第２差込部２３によれば、台紙２を確実に取り付ける作業が容易となるだけでなく、台紙２の強固な取り付け状態とすることができる。しかも、第１差込部２２の角押え突起２６の長さａが、第２差込部２３の角押え突起３０の長さｂよりも短いことにより、縁押え突起２７が設けられても、カード３の隠れる部分を比較的小とすることができる。
【００２９】
なお、台紙２を取り外す場合には、第２差込部２３側から台紙２の基部３１を引抜くことにより、取り外し作業も容易である。
【００３０】
そして、台紙２は、天面フラップ１４に背板部３２が支持され、第１上部内フラップ１６及び第２上部内フラップ１７に基部３１が支持されているので、天面フラップ１４を第１上部内フラップ１６及び第２上部内フラップ１７の上面に重合させるように閉じたとき、同時に２つ折に折り畳まれ、天面フラップ１４を起立させる方向に開けると同時に台紙２も拡開する。
【００３１】
台紙２には、図２に示すように、２つ折のカード３が取り付けられる。カード３は、折目線を介して開閉自在の一対の板部（第１板部３５、第２板部３６）によって構成され、両板部３５，３６の内側に、拡開時にポップアップする立体装飾部３７や、図示しないメッセージ記入部等が設けられている。なお、図示しないが、カード３は２つ折でありばよく、立体装飾部３７を備えないものであってもよい。
【００３２】
カード３は、第１板部３５の両角部が、台紙２と共に第１差込部２２と第２差込部２３とに夫々差し込まれる。また、カード３の第２板部３６の両角部は、台紙２の背板部３２の内面側の上部角部に設けられた係止部３３に夫々係止される。カード３の第２板部３６を台紙２の背板部３２の係止部３３に係止したとき、台紙２を押えている押え片２１がカード３の第２板部３６により覆い隠される。
【００３３】
以上のように構成された包装箱Ａは、図１に示すように、開封する前においては、天面フラップ１４の窓部２０から露出する表示部３４の表示を開封者に確実に視認させることができる。そして、図２に示すように、開封作業により天面フラップ１４を起立させたときには、カード３が拡開して、カード３の内面側が確実に視認できるようになる。このように、本実施形態の包装箱Ａによれば、開封者に対するアピール度が高く、包装箱Ａの被包装物のイメージの向上を極めて効果的に得ることができる。そして、ポップアップカード３及び台紙２の取り外しも容易であるため、包装箱Ａからの被包装物の取り出しも容易に行うことができる。
【００３４】
次に、第２の実施形態について説明する。第２の実施形態の包装箱Ｂは、図６に示すように、一対の天面フラップ（第１天面フラップ５４、第２天面フラップ５５）を備えている。包装箱Ｂは、図７に示すように、箱本体４１と、台紙４２と、カード４３とで構成される。
【００３５】
箱本体４１は、図８に示す段ボール製の板紙４４から形成される。なお、図８は板紙４４の裏面を示している。板紙４４は、図８に示すように、図中左側から右側に向って順に前側板４５、左側板４６、後側板４７、及び右側板４８が、夫々折目線を介して連設されている。前側板４５における左側板４６と反対側の側縁には折目線を介して接着片４９が連設されている。
【００３６】
前後の側板４５，４７の夫々の下縁には底部外フラップ５０，５１が折目線を介して連設され、左右の側板４６，４８の夫々の下縁には底部内フラップ５２，５３が折目線を介して連設されている。後側板４７の上縁には折目線を介して第１天面フラップ５４が連設されている。前側板４５の上縁には折目線を介して第２天面フラップ５５が連設されている。
【００３７】
左側板４６の上縁には第１上部内フラップ５６が折目線を介して連設されており、右側板４８の上縁には第２上部内フラップ５７が折目線を介して連設されている。
【００３８】
箱本体４１を形成するとき、各側板４５，４６，４７，４８を各折目線を介して折り曲げ接着片４９を右側板４８に接着することで、図６に示す四角筒状の周壁による胴部５８が形成される。胴部５８の下面を閉塞する底部５９は、図８に示す底部内フラップ５２，５３を互いに胴部５８の内方に水平に折り曲げ、底部外フラップ５０，５１を互いに胴部５８の内方に水平に折り曲げて底部内フラップ５２，５３の外側に重合させ、更に、底部外フラップ５０，５１を図示しない封緘用の粘着テープで封止することで形成される。
【００３９】
図８に示すように、第１天面フラップ５４には、動物の顔を示すイラストが印刷されており、動物の顔のイラストにおける目の輪郭や口の輪郭に相当する部分が切れ目６０，６１により遊離自在となっている。そして、この遊離して貫通する部分（イラストにおける目の輪郭）が窓部６２となっており、遊離した片は押え片６３となっている。第１天面フラップ５４に設けるイラストは、動物の顔に限るものではないが、包装箱Ｂの前後の向きが明確に判断できるものである必要がある。
【００４０】
第１上部内フラップ５６には第１差込部６４が形成され、第２上部内フラップ５７には第２差込部６５が形成されている。第１差込部６４は、切れ目６６と遊離片６７とで構成されており、遊離片６７が遊離することにより角押え突起６８と該角押え突起６８から所定の距離を存して縁押え突起６９とが形成される。第２差込部６５は、切れ目７０と遊離片７１とで構成されており、遊離片７１が遊離することにより角押え突起７２が形成される。
【００４１】
押え片６３、第１差込部６４、及び第２差込部６５は、図９に示すように、台紙４２を支持するものである。台紙４２は、第１の実施形態のおいて説明したものと同様の構成であるが、図６に示すように、窓部６２に対応する位置に表示部７３が設けられ、この表示部７３には眼球に相当するイラストが表示されている。
【００４２】
台紙４２は、図９に示すように、背板部７４が第１天面フラップ５４の内側に重合され、押え片６３により押えられる。このとき、背板部７４の表示部７３は、図６に示すように、窓部６２を介して露出する。そして、台紙４２の基部７５は、その両角部が第１差込部６４と第２差込部６５とに夫々差し込まれる。
【００４３】
図７に示すように、台紙４２に設けられた係止部７６には、２つ折のカード４３の第１板部７７が係止される。これにより、押え片６３はカード４３により覆い隠される。また、第１差込部６４と第２差込部６５とには、カード４３の第２板部７８が係止される。このように構成された第２の実施形態における包装箱Ｂも、第１の実施形態の包装箱Ａと同様の効果を得ることができる。
【００４４】
なお、第２の実施形態の包装箱Ｂは、第１天面フラップ５４と第２天面フラップ５５とにより閉塞する構造であるため、図６において仮想線で示すように封緘用の粘着テープＴが設けられる。このため、第２の実施形態の包装箱Ｂにおいては、図６及び図８に示すように、第２天面フラップ５５には粘着テープＴの切断案内用の案内溝７９が形成され、第１天面フラップ５４と第２天面フラップ５５との境界部には案内溝７９に沿って切断された粘着テープＴの切断端部を手指で摘むことができるように、凹部８０が形成されている。また、第１天面フラップ５４には、案内溝７９に対応する位置から端部までの領域において、粘着テープＴが非貼着状態となる大略矩形状の切欠き８１が形成されている。
【００４５】
そして、第２の実施形態の包装箱Ｂを開封するときには、先ず、案内溝７９に沿って切断用刃物等で粘着テープＴを切断し、凹部８０で粘着テープＴを摘み引き上げて、切断後に長さ寸法の長い方の粘着テープＴを除去する。こうすると、除去されずに残余した短い方の粘着テープＴにより第２天面フラップ５５は閉塞状態が維持されるが、第１天面フラップ５４は切欠き８１によってもともと粘着テープＴが貼着された状態になっていないから、第１天面フラップ５４のみ開くことができるようになる。これにより、開封者は、自然に第１天面フラップ５４から開封を行うこととなる。従って、図７に示すように、確実に第１天面フラップ５４から先に開かれ、開封時においてはカード４３が連動して拡開するので、即座にカード４３の内側を確認できる。
【００４６】
なお、上記の各実施形態においては、板紙４，４４の材料として段ボールを採用したが、段ボール以外にボール紙等の厚紙材料であっても好適に採用できる。また、箱本体１，４１の底部の構成も上述したものに限るものではなく、例えば、所謂ボトムロック式等が採用されていてもよい。
【符号の説明】
【００４７】
Ａ，Ｂ…包装箱、２，４２…台紙、３，４３…カード、１４…天面フラップ、１６，５６…第１上部内フラップ（内フラップ）、１７，５７…第２上部内フラップ（内フラップ）、１８，５８…胴部、１９，５９…底部、２０，６２…窓部、２１，６３…押え片、２２，６４…第１差込部（差込部）、２３，６５…第２差込部（差込部）、３１，７５…基部、３２，７４…背板部、３３，７６…係止部、３４，７３…表示部、３５，７７…第１板部（板部）、３６，７８…第２板部（板部）、５４…第１天面フラップ（天面フラップ）。
【図１】
0005677112.tif 000002
【図２】
0005677112.tif 000003
【図３】
0005677112.tif 000004
【図４】
0005677112.tif 000005
【図５】
0005677112.tif 000006
【図６】
0005677112.tif 000007
【図７】
0005677112.tif 000008
【図８】
0005677112.tif 000009
【図９】
0005677112.tif 000010